(57)【要約】【課題】電源供給のための位置的な制約や電源配線の取り回しの制約を受けずに任意の場所に設置できる除湿装置を提供することを目的としている。【解決手段】吸湿剤１を備えた子機２と再生手段３を備えた親機４から構成された除湿装置５は、除湿したい空間に子機２のみを設置することで、空気中の水分を吸湿することができる。吸湿に伴い子機２の吸湿剤１が飽和し、吸湿剤１の吸着能力が低下した場合には、子機２を親機４に装着し、再生手段３により子機２の吸湿剤１を再生することできる。【選択図】図１
2008093505.tif 000002
【特許請求の範囲】
【請求項１】
吸湿剤を備えた子機と前記吸湿剤の再生手段を備えた親機により構成することを特徴とする除湿装置。
【請求項２】
空気循環手段を備えた子機を特徴とする請求項１記載の除湿装置。
【請求項３】
吸湿剤の吸着熱を利用した空気循環手段を備えた子機を特徴とする請求項２記載の除湿装置。
【請求項４】
空気循環手段としての送風手段を備えた子機を特徴とする請求項２記載の除湿装置。
【請求項５】
表示手段を備えた子機を特徴とする請求項１記載の除湿装置。
【請求項６】
音発生手段を備えた子機を特徴とする請求項１記載の除湿装置。
【請求項７】
温度検知手段を備えた子機を特徴とする請求項１〜４のいずれかに記載の除湿装置。
【請求項８】
湿度検知手段を備えた子機を特徴とする請求項１〜４のいずれかに記載の除湿装置。
【請求項９】
照度検知手段を備えた子機を特徴とする請求項１〜４のいずれかに記載の除湿装置。
【請求項１０】
タイマーを備えた子機を特徴とする請求項１〜４のいずれかに記載の除湿装置。
【請求項１１】
発熱手段を備えた子機を特徴とする請求項１〜１０のいずれかに記載の除湿装置。
【請求項１２】
子機と親機間の通信手段を備えたことを特徴とする請求項１〜１１のいずれかに記載の除湿装置。
【請求項１３】
子機の動作状況を親機に通信することのできる通信手段を備えたことを特徴とする請求項１２記載の除湿装置。
【請求項１４】
親機から子機を呼び出すことのできる通信手段を備えたことを特徴とする請求項１２記載の除湿装置。
【請求項１５】
二次電池を備えた子機と前記二次電池の充電手段を備えた親機により構成することを特徴とする請求項１〜１４のいずれかに記載の除湿装置。
【発明の詳細な説明】
【技術分野】
【０００１】
本発明は、主に吸湿剤を用いて室内空気中に含まれる水分を除去する除湿装置に関する。
【背景技術】
【０００２】
近年、住宅の高気密高断熱化が進み、人の生活に伴い発生する水分が室内空気に蓄積されることが問題とされている。具体的には、調理の際に発生する水蒸気や、入浴の際に浴室から居室に拡散する湯気や、洗濯物を室内で干す際に発生する水蒸気や、人体から汗として放出される水分など、様々な由来の水分が室内空気に蓄積され湿度が上昇する。さらに室内の湿度が上昇した場合、または水分を多く含む室内空気の温度が低下した場合には、換気の不十分な場所や局所的に温度の低い場所では結露が発生する可能性がある。具体的には、押入れの壁面や下足箱の中など空気の流通が少ない場所で、壁面の温度が周囲の温度に比べて低い場合に結露が発生しやすくなる。
【０００３】
このような問題に対して、現在は塩化カルシウムなどを利用した除湿剤が販売されており、押入れや下足箱などの狭い空間に設置して活用されている。しかし、一旦空気中の水分を吸収すると塩化カルシウムは溶解して水溶液となってしまうので、そのような除湿剤は再生して使用するのは容易ではなく使い捨てされているのが現状である。
【０００４】
一方で、押入れや下足箱などの狭い空間を連続的に除湿する装置として小型の除湿装置が提案されている（例えば、特許文献１参照）。
【０００５】
以下、その除湿装置について図１４を参照しながら説明する。図１４は除湿装置の構造の概略構成を示している。図１４に示すように、従来の押入れ除湿装置１０１は、被除湿空気と再生空気とを通気可能に形成された回転式吸湿ロータ１０２と、再生空気を加熱するヒータ１０３と、加熱した再生空気によって前記吸湿ロータから水分を脱離させて高温高湿化した空気を冷却して水分を凝縮させる熱交換器１０４と、凝縮水を貯水する貯水タンク１０５と、吸気口から前記被除湿空気を吸い込んで前記吸湿ロータ内部を通過させ、乾燥空気を排気口から送出する除湿ファン１０６と、再生空気を前記ヒータ、吸湿ロータ、熱交換器の順に送る再生ファン１０７とを本体内に備え、前記本体が細長く構成されたことを特徴としている。
【０００６】
図１５に示すように押入れ除湿装置は押入れ内部のすきまに設置して使用されることを想定している。
【特許文献１】特開２００３−１１７３３１号公報
【発明の開示】
【発明が解決しようとする課題】
【０００７】
このような従来の除湿装置は、吸湿ロータから水分を脱離させる目的の再生空気を加熱するためのヒータを有している。このようなヒータで発熱するためには家庭用の１００Ｖ電源を必要とする場合が多い。したがって従来の除湿装置を用いる場合、１００Ｖ電源を必要とするため、コンセントの近くでないと使用することができず、コンセントが近くにない押入れや下足箱には設置できないという課題がある。また押入れや下足箱は、開閉式扉により通常は閉じられた密閉空間であるので、除湿装置を内部で使用するためには電源供給を目的とした電源線が通るすきまを設ける必要があり、そのようなすきまのあいた状態では、密閉空間内で除湿装置を運転しても、すきまを通して外部の空気が侵入するので、除湿効率が低下するという課題がある。したがってこのような課題があるため、電源供給のための位置の制約や電源線を取り回すためのすきまの制約を受けず任意の場所に設置できることが要求されている。
【０００８】
本発明はこのような従来の課題を解決するものであり、電源供給のための位置的な制約や電源配線の取り回しの制約を受けずに任意の場所に設置できる除湿装置を提供することを目的としている。
【０００９】
また、使い捨ての除湿剤に比べれば、このような従来の除湿装置は本体寸法が大きく、本来の収納対象物を設置すべき空間を減じてしまうという課題があり、本来の収納対象物の収納容量に影響を与えずにできるだけ狭い空間にも設置できることが要求されている。
【００１０】
本発明はこのような従来の課題を解決するものであり、使い捨ての除湿剤と同程度の大きさで狭い空間にも設置することのできる除湿装置を提供することを目的としている。
【課題を解決するための手段】
【００１１】
本発明の除湿装置は上記目的を達成するために、吸湿剤を備えた子機と前記吸湿剤の再生手段を備えた親機で除湿装置を構成したものである。
【００１２】
この手段により、吸湿剤を備えた子機は再生手段を備えていないので、吸湿剤の再生に必要な熱を発生するためのヒータ等に供給する電源線が不要であり、電源供給のための位置的な制約や電源配線の取り回しの制約を受けずに任意の場所に設置できる除湿装置が得られる。
【００１３】
また、本発明の除湿装置は、子機に空気循環手段を備えた構成としたものである。
【００１４】
この手段により、電源供給のための位置的な制約や電源配線の取り回しの制約を受けずに任意の場所に設置でき、閉鎖空間内の空気を循環させることで効率良く除湿可能な除湿装置が得られる。
【００１５】
また、本発明の除湿装置は、子機の空気循環手段として吸湿剤の吸着熱を利用したものである。
【００１６】
この手段により、電源供給のための位置的な制約や電源配線の取り回しの制約を受けずに任意の場所に設置でき、閉鎖空間内の空気を循環させることで効率良く除湿可能な除湿装置が得られる。
【００１７】
また、本発明の除湿装置は、子機の空気循環手段として送風手段を備えたものである。
【００１８】
この手段により、閉鎖空間内の空気を循環させることで効率良く除湿可能な除湿装置が得られる。
【００１９】
また、本発明の除湿装置は、子機に表示手段を備えたものである。
【００２０】
この手段により、子機の吸湿剤の吸湿状態や使用経過時間などを表示することで、吸湿剤の吸湿能力を十分に活用できる除湿装置が得られる。
【００２１】
また、本発明の除湿装置は、子機に音発生手段を備えたものである。
【００２２】
この手段により、子機の吸湿剤の吸湿状態や使用経過時間などを報知することで、密閉空間に設置されているのにもかかわらず外部から子機の状態を知ることができる除湿装置が得られる。
【００２３】
また、本発明の除湿装置は、子機に温度検知手段を備えたものである。
【００２４】
この手段により、子機の空気循環手段の運転状態を制御することで効率良く除湿可能な除湿装置が得られる。
【００２５】
また、本発明の除湿装置は、子機に湿度検知手段を備えたものである。
【００２６】
この手段により、子機の空気循環手段の運転状態を制御することで効率良く除湿可能な除湿装置が得られる。
【００２７】
また、本発明の除湿装置は、子機に照度検知手段を備えたものである。
【００２８】
この手段により、子機の空気循環手段の運転状態を制御することで効率良く除湿可能な除湿装置が得られる。
【００２９】
また、本発明の除湿装置は、子機にタイマーを備えたものである。
【００３０】
この手段により、子機の空気循環手段の運転状態を制御することで効率良く除湿可能な除湿装置が得られる。
【００３１】
また、本発明の除湿装置は、子機に発熱手段を備えたものである。
【００３２】
この手段により、子機の吸湿剤の再生時間を短縮することで効率良く除湿可能な除湿装置が得られる。
【００３３】
また、本発明の除湿装置は、子機と親機間に通信手段を備えたものである。
【００３４】
この手段により、密閉空間に設置された子機を親機から管理することで効率良く除湿可能な除湿装置が得られる。
【００３５】
また、本発明の除湿装置は、子機の動作状況を親機に通信することのできる通信手段を備えたものである。
【００３６】
この手段により、子機の動作状況を親機に伝達し、親機から子機の状態を知ることで効率良く除湿可能な除湿装置が得られる。
【００３７】
また、本発明の除湿装置は、親機から子機を呼び出すことのできる通信手段を備えたものである。
【００３８】
この手段により、親機から子機の所在地を確認することで効率良く除湿可能な除湿装置が得られる。
【００３９】
また、本発明の除湿装置は、二次電池を備えた子機と前記二次電池の充電手段を備えた親機により除湿装置を構成したものである。
【００４０】
この手段により、子機の空気循環手段を動作させるための二次電池を親機により充電する構成とすることで、電源供給のための位置的な制約や電源配線の取り回しの制約を受けずに任意の場所に設置できる除湿装置が得られる。
【発明の効果】
【００４１】
本発明によれば、電源線を必要とせず狭い閉鎖空間内に容易に設置できるという効果のある除湿装置を提供できる。
【００４２】
また本発明によれば、狭い閉鎖空間内を効率良く除湿できるという効果のある除湿装置を提供できる。
【００４３】
また本発明によれば、子機の状態を知ることができ、適切なタイミングで再生することができるという効果のある除湿装置を提供できる。
【００４４】
また本発明によれば、狭い閉鎖空間内の温湿度状況を知ることができ、効率良く除湿できるという効果のある除湿装置を提供できる。
【００４５】
また本発明によれば、狭い閉鎖空間内の開閉状況を知ることができ、効率良く除湿できるという効果のある除湿装置を提供できる。
【００４６】
また本発明によれば、子機の使用時間を設定することで、適切なタイミングで再生することができるという効果のある除湿装置を提供できる。
【００４７】
また本発明によれば、吸湿剤を効率よく短時間で再生できるという効果のある除湿装置を提供できる。
【００４８】
また本発明によれば、親機から子機の状態を知ることができるという効果のある除湿装置を提供できる。
【００４９】
また本発明によれば、子機の二次電池を親機により充電できるという効果のある除湿装置を提供できる。
【発明を実施するための最良の形態】
【００５０】
本発明の請求項１記載の発明は、吸湿剤を備えた子機と前記吸湿剤の再生手段を備えた親機により除湿装置を構成したものであり、除湿に必要な吸湿剤のみで子機を構成し、その吸湿剤を再生する手段は親機に分離して設けたことにより、子機は除湿のために必要最小限な大きさで構成できる事と吸湿剤による除湿では電源が不要になるという作用を有する。
【００５１】
また、本発明の請求項２記載の発明は、空気循環手段を備えた子機としたものであり、狭い閉鎖空間内の空気を循環することで電源線が不要で子機の吸湿剤と空気との接触効率を向上するという作用を有する。
【００５２】
また、本発明の請求項３記載の発明は、吸湿剤の吸着熱を利用した空気循環手段を備えた子機としたものであり、吸湿剤が空気中の水分を吸着する際に発生する吸着熱を利用して、子機内部空気の温度勾配を発生させて空気を循環するという作用を有する。
【００５３】
また、本発明の請求項４記載の発明は、空気循環手段としての送風手段を備えた子機としたものであり、送風手段により狭い閉鎖空間内の空気を効率よく循環することで除湿効果を促進するという作用を有する。
【００５４】
また、本発明の請求項５記載の発明は、表示手段を備えた子機としたものであり、子機の使用状態をユーザーに対して容易に伝えるという作用を有する。
【００５５】
また、本発明の請求項６記載の発明は、音発生手段を備えた子機としたものであり、子機の使用状態をユーザーに対して報知音の発生により伝えるという作用を有する。
【００５６】
また、本発明の請求項７記載の発明は、温度検知手段を備えた子機としたものであり、子機の設置された空間の温度を検知して空気循環手段の動作を制御するという作用を有する。
【００５７】
また、本発明の請求項８記載の発明は、湿度検知手段を備えた子機としたものであり、子機の設置された空間の湿度を検知して空気循環手段の動作を制御するという作用を有する。
【００５８】
また、本発明の請求項９記載の発明は、照度検知手段を備えた子機としたものであり、子機の設置された空間の照度を検知して狭い閉鎖空間の開閉状態を判断して空気循環手段の動作を制御するという作用を有する。
【００５９】
また、本発明の請求項１０記載の発明は、タイマーを備えた子機としたものであり、子機を設置してから吸湿剤の寿命を予測してタイマー設定することで、吸湿剤の吸着能力が残存していない状態では空気循環手段を動作させないという作用を有する。
【００６０】
また、本発明の請求項１１記載の発明は、発熱手段を備えた子機としたものであり、吸湿剤と発熱手段を近傍に設置することで吸湿剤の再生効率を向上させるという作用を有し、空気循環手段としても作用する。
【００６１】
また、本発明の請求項１２および１３記載の発明は、子機と親機間の通信手段を備えた除湿装置としたものであり、狭い閉鎖空間に設置された子機の動作状況を別の場所に設置された親機から知る事ができるという作用を有する。
【００６２】
また、本発明の請求項１４記載の発明は、親機から子機を呼び出すことのできる通信手段を備えた除湿装置としたものであり、狭い閉鎖空間に設置された子機が外部からの呼び出しに応答するので設置場所を再確認できるという作用を有する。
【００６３】
また、本発明の請求項１５記載の発明は、二次電池を備えた子機と前記二次電池の充電手段を備えた親機により構成した除湿装置としたものであり、空気循環手段や表示手段、通信手段などを動作させるための二次電池を子機に備え、充電機能は親機に備えたので必要最小限の寸法増加で子機の機能を向上するという作用を有する。
【００６４】
以下、本発明の実施の形態について図面を参照しながら説明する。
【００６５】
（実施の形態１）
図１に示すように、吸湿剤１を備えた子機２と再生手段３を備えた親機４からなるこの除湿装置５は子機２のみを除湿したい空間に設置することで、空気中の水分を吸湿することができる。吸湿剤１の吸着能力が飽和した場合には、親機４に装着し、再生手段により子機内部の吸湿剤１を再生できる。本発明において吸湿剤の組成は図示していないが、吸湿剤としてシリカゲル、クレイのうち少なくとも一つ以上の無機物を含ませると良い。シリカゲルとしては、ＪＩＳ規格のＡ型シリカゲル、ＲＤ型シリカゲル、ＩＤ型シリカゲル、Ｂ型シリカゲルなどがあり、比較的吸着速度を要求しない場合は、粒状シリカゲルを用いることができ、吸着速度を要求する場合は粉末状シリカゲルをハニカム成型体などの表面に担持しても良いし、シリカゲル自体をバインダ等と混合して押出成型体として用いることができる。また、シリカゲルのみならず、細孔容積が大きなメソポーラスマテリアル、アルミナ、シリカアルミナ、モレキュラシーブ（合成ゼオライト）などを用いても良い。クレイとしては、カオリン系としてカオリナイト、ナクライト、ディッカイト、ハロイサイト等があり、アンティゴライト系ではアンティゴライト、アメサイト、クロンステダイト等があり、パイロフィライト系ではパイロフィライト、滑石等があり、雲母型粘土鉱物としてはイライト、海縁石、セラドナイト、セリサイト、白雲母等があり、スメクタイト系ではモンモリロナイト、バイデライト、ノントロナイト、サポナイト、ヘクトナイト等があり、バーミキュライト系ではバーミキュライト等があり、縁泥石系では縁泥石（クロライト）等の粘土系多孔質体がある。
【００６６】
さらに吸湿剤として、無機物を通気性材料で包含した形状にすると良い。通気性材料としては、ＯＰＰ／ＰＥ、紙／ＰＥ、不織布／ＰＥなどがある。また、これらのフイルムに針穴で小孔を設け、その数と大きさで吸湿速度を調整することも可能である。
【００６７】
このような吸湿剤により構成された子機２は、再生手段等を持たない必要最小限の大きさであり、押入れのすきまや下足箱のすきまなど、狭い空間に設置することができる。また、閉鎖空間内の空気と接触することで吸湿が開始されるので、特に電源は不要であり、電源供給のためのコンセントを探す必要がなくなり、コンセントからの距離による設置場所の制約を受けることがなくなる。また電源線を必要としないことから、押入れや下足箱の扉を密閉することができ、電源線を通すためのすきまが扉にある場合に比較して子機による除湿速度を向上することができる。
【００６８】
なお、再生手段について詳細は説明しなかったが、子機のシリカゲルを再生する場合であれば、シリカゲルの温度を上昇させる方法、シリカゲルに乾燥空気を供給する方法、またそれらの方法の組み合わせなどが考えられる。シリカゲルから脱離した水蒸気を水滴として回収するための熱交換器とドレンパンを組み合わせても良い。なお、本実施例では子機２を親機４の凹部に装着することで、再生手段３により発生した高温かつまたは乾燥した空気が吸湿剤１を再生するものとした。そのような再生手段３は、送風機と加熱用のヒータで構成することができる。送風機の形状やヒータの構造については特に限定しないが、シロッコファンとニクロム線の組み合わせなど高温かつまたは乾燥空気を発生する能力を有していれば良い。
【００６９】
子機２と親機４の組み合わせはこの方法に限ったものではなく、親機から発生する高温かつまたは乾燥した空気をダクトにより子機内部に導く方法であっても同様の効果を得ることができる。吸湿に必要な手段以外で再生に必要な手段を親機に設けることで、子機の大きさを最小限にすることができるものである。親機からは高温の空気かつまたは乾燥した空気など、吸湿剤に保持されている水分を脱離する為の空気を発生することができる構造であれば再生手段として同様の効果を得ることができる。親機は子機と異なり、狭い閉鎖空間に設置する必要がないので、コンセントに近い場所に設置すればよい。本実施の形態では親機と子機を１台づつ記載したが、この組み合わせに限ったものではなく、１台の親機で複数の子機を使用しても同様の効果を得ることができる。
【００７０】
（実施の形態２）
図２は子機２の内部の概略構成を横方向から示した模式図である。図２に示すように、子機２には空気循環手段６が設けられており、空気循環手段６の作用により、子機を狭い閉鎖空間に設置した際に、周囲の空気を子機内に吸引する機能を有している。具体的には子機２の外装の開口部に面した部分に空気循環手段６が設けられ、周囲の空気を子機内部に吸引している。子機内部に吸引された空気は吸湿剤１の近傍を通過し、空気循環手段６の反対側の子機２の外装の開口部から排出される。
【００７１】
なお、空気循環手段の配置はこの構成に限ったものではなく、子機２の周囲の空気を効率良く吸引し、吸湿剤１に接触させることができる配置に構成されれば同様の効果を得ることができる。空気循環手段６としては、空気循環できればよく、例えば、循環気流を発生させるファン、あるいは、熱による上昇気流を起こし空気循環を行う吸着熱を発生するシリカゲルなどの吸湿剤、あるいは、ヒータなどにより加熱された石などがある。
【００７２】
（実施の形態３）
図３は子機２の内部の概略構成を横方向から示した模式図である。子機２が床面に設置された状態を示している。図３に示すように、子機２には吸湿剤１の吸着熱を利用した空気循環手段６が設けられている。具体的にはシリカゲルなどの吸湿剤の近傍を通過し子機２の上部と下部に開口部を有する円筒状の流路７が子機２の内部に設けられている。流路７は子機２の下面に開口部を有しているので、子機２と床面の隙間を通って、子機２の周囲の空気を吸引することができる。子機２内部のシリカゲルなどの吸湿剤１に空気中の水分が吸着されると吸着熱により吸湿剤近傍の流路内の空気が加熱される。円筒状の流路７内の空気に温度勾配が発生することで、円筒状の流路７の内部では、下方から上方に向けた気流が発生する。その結果、子機２の下部の開口部から周囲の空気を吸引することができるものである。なお、開口部と吸湿剤と流路の位置関係についてはこの図の配置に限ったものではなく、吸湿剤の吸着熱により温度勾配が発生するような配置であれば同様の効果を得ることができるものである。また円筒状の流路の形状についてもこの構造に限ったものでなく、流路の断面形状を限定するものではない。
【００７３】
（実施の形態４）
図４は子機２の内部の概略構成を横方向から示した模式図である。図４に示すように、子機２には空気循環手段６として送風手段８が設けられている。送風手段８は電池等の駆動源により動作するファンなどがある。送風手段は再生手段のように熱を発生する機構ではないので、比較的小型の乾電池や二次電池で所定の動作を実現することができるものである。また、間欠運転をするなどして電池を有効に活用する方法も利用可能である。実施の形態３と同様に、送風手段により発生する気流により周囲の空気を吸引することができるので、子機２による閉鎖空間内の除湿効率を向上することができるものである。なお、送風手段の構造については特に限定するものではなく、空気を移送するための機能を有する方法であれば、羽根の形状にこだわらずどのような方法を用いても同様の効果を得ることができる。なお、比較的圧力損失の高い構造である吸湿剤に周囲の空気を通過させる必要があるので羽根の形状としてはシロッコファンなどの構造が適している。
【００７４】
（実施の形態５）
図５に示すように、子機２には表示手段９が設けられている。表示手段９はＬＥＤや液晶パネルなど使用者が情報を認識できる構成であればよい。表示手段９には子機を使用開始してからの時間等が表示されているので子機を再生するタイミングを知るための目安として活用することができる。また、後述するように子機の周囲の温度や湿度などを検知することのできる各種検知手段を子機に内蔵するのであれば、各種検知手段による検出結果を表示することで、子機２による除湿効果の目安として活用することができる。
【００７５】
（実施の形態６）
図６に示すように、子機２には、ブザー、あるいはスピーカなどの音発生手段１０が設けられている。子機２は狭い閉鎖空間に設置することを想定しているので、周囲からは容易に見えない位置に設置する場合も想定される。そこで音発生手段１０を用いることにより、子機２の状態を使用者に伝達することができる。具体的には、子機２の使用開始から一定時間が経過した場合に報知音を発生させることで、子機を再生するタイミングを知る事ができるものである。また、後述するように各種検知手段を子機に内蔵するのであれば、各種検知手段による検出結果に伴う放置音を発生してもよい。
【００７６】
例えば、周囲の湿度が設定値よりも高い値を示している時間が長い場合には、子機を増設するなどして対応する必要があるので、高湿状態が長時間継続している旨を報知してもよい。報知音については報知したい内容によって使い分ければ良いものとする。各種検知手段としては、周囲環境が検知できればよく、温度センサ、湿度センサ、照度センサ、ガスセンサなどがある。
【００７７】
（実施の形態７）
図７に示すように、子機２には温度検知手段１１が設けられている。温度検知手段１１はサーミスタや測温抵抗体など温度に応じて電気的特性が変化する検知手段などが用いられる。高湿度の空気の温度が低下すると結露しやすくなるので、温度検知手段１１は周囲温度の変化を検知している。急激な温度低下を検知した場合には前述した空気循環手段の動作を増やすなどして、除湿能力を向上させることで対応する。または、前述した表示手段や音発生手段により使用者に対して結露の可能性があることを伝達することも可能である。また、複数の温度検知手段を設けると、発熱体との位置関係から気流を検知することができるので、空気循環手段の動作を制御する事が可能になる。
【００７８】
（実施の形態８）
図８に示すように、子機２には湿度検知手段１２が設けられている。湿度検知手段１２は高分子膜型湿度センサのように湿度に応じて電気的特性が変化する検知手段などが用いられる。湿度検知手段１２は周囲の空気の湿度変化を検知している。急激な湿度上昇を検知した場合には前述した空気循環手段の動作を増やすなどして、除湿能力を向上させることで対応する。または、前述した表示手段や音発生手段により使用者に対して結露の可能性があることを伝達することも可能である。
【００７９】
（実施の形態９）
図９に示すように、子機２には照度検知手段１３が設けられている。照度検知手段１３はフォトトランジスタのように照度に応じて電気的特性が変化する検知手段などが用いられる。照度検知手段１３は子機２の周囲の明るさを検知している。本来、子機２は狭い閉鎖空間への設置を想定しているので、開放空間で使用すると除湿能力が不十分である。したがって、照度検知手段により周囲が明るいと判断した場合は、前述の空気循環手段の動作を停止することができる。つまり、周囲が明るい場合は、閉鎖空間が開放されている可能性があるので、そのまま空気循環を続けていると吸湿剤の吸湿能力がすぐに低下してしまう可能性がある。さらに照度が低下した状態が継続した場合には、閉鎖空間が閉じられたと判断して、空気循環手段を適宜動作させることで、除湿能力を向上させることができる。
【００８０】
（実施の形態１０）
図１０に示すように、子機２にはタイマー１４が設けられている。タイマー１４はＬＥＤや液晶などで時間が表示されるような構造になっており、使用者が計測したい時間を設定し、経過時間を認識できるような構造であればよい。タイマー１４は親機による吸湿剤の再生が完了した時点からスタートして、一定時間が経過すると報知するものである。すなわち、除湿能力が低下したと思われるタイミングをタイマーにより報知することとしたものである。除湿したい空間の容量、吸湿剤の容量、対象空間の湿度、あるいは季節などの条件に応じて、あらかじめタイマーの長さを設定しておけば、効率よく除湿を行うことができる。例えば、夏場だと、一定時間を４８時間として、タイマー設定を行う。
【００８１】
多量の水分を吸収して吸湿能力の低下した吸湿剤を設置しておいても空間内の湿度は低下しないので、吸湿剤の能力が低下するタイミングをあらかじめ予測してタイマーで報知するようにすれば、効率良く除湿を行うことができる。
【００８２】
また、前述した温度検知手段や湿度検知手段などの各種検知手段と組み合わせることで吸湿剤の能力低下を適切に判断する事も可能である。具体的には湿度検知手段の信号と組み合わせることで、湿度の低い状態が長時間続いていれば、タイマーの進行速度を遅くし、湿度の高い状態が長時間続いていた場合は、タイマーの進行速度を速めるなどして、再生タイミングを適切に報知することができるものである。
【００８３】
（実施の形態１１）
図１１は子機２の内部の概略構成を横方向から示した模式図である。図１１に示すように、子機２には発熱手段１５が設けられている。発熱手段１５はニクロム線などの電熱線等で構成されており、吸湿剤１を加熱するために設けられている。吸湿剤１を親機４で再生する場合には、発熱手段に親機から電流を流すことで温度を上昇させることができる。子機内部には発熱手段を内蔵し、電源は親機に設けるので、子機の大きさを大幅に増やすことなく、吸湿剤の再生能力を向上することができるものである。
【００８４】
なお、本実施例では発熱手段は吸湿剤１の下部に設置してあるものとしたが、この構成に限ったものではなく、吸湿剤１の内部に発熱手段１５を設置するようにしても同様の効果を得ることができる。また、子機２の使用時に発熱手段１５を発熱させることにより、子機２の周囲の空気に温度勾配が発生し、空気循環手段としての効果を得る事も可能である。
【００８５】
（実施の形態１２）
図１２に示すように、子機２には無線などの通信手段１６が設けられており、親機と通信可能な状態である。子機は狭い閉鎖空間に設置されることを想定しているので、親機と子機の通信は電波を利用した無線方式が適している。子機から親機への通信を行うことで、子機の動作状態や周囲の状態を親機から知ることができるようになる。具体的には子機の使用開始からの経過時間や、子機周囲の空気の湿度の推移など、見えない位置に設置した子機からの情報を知る事ができれば、有効に活用することができる。
【００８６】
また、親機から子機へ通信を行い、子機が報知音を発生することで、子機の所在を知ることができるようになる。具体的には、親機からの通信により、子機の音発生手段としてのスピーカが動作することで、子機の存在場所を認知することができるものである。子機は狭い閉鎖空間に設置されることを想定しているので、その存在を忘れてしまう可能性がある。その場合には、親機からの通信により子機が報知音を発することですぐに子機の所在を知る事ができるものである。
【００８７】
（実施の形態１３）
図１３に示すように、子機２には二次電池１７が設けられ、親機４の内部には充電手段１８が設けられている。二次電池１７はニッケルカドミウム電池、リチウムイオン電池など、充電と放電を繰り返すことができる電池であればどのような電池であってもよい。本実施の形態では子機の大きさはできるだけ小型であることが望まれるので、二次電池に対しても小型で電池容量の大きい特性の二次電池が適している。二次電池１７は前述した空気循環手段や表示手段、各種検知手段などを動作させるために使用される。子機２は内蔵している吸湿剤を再生するために親機を利用するので、その際に親機に備えられた充電手段１８を用いることで二次電池１７を充電することができるものである。
【００８８】
なお、二次電池の構成について詳細は図示しないが、前述した空気循環手段や表示手段、各種検知手段などを動作させるために使用可能な電池容量を有していれば、どのような二次電池を用いても同様な効果を得ることができる。
【００８９】
また、二次電池の充電の際に子機内部に蓄熱することで、その発熱を利用し、子機の近傍空気に温度勾配を発生することで空気循環手段として利用する事も可能である。蓄熱の方法は二次電池からの電流による発熱を利用してもよいし、充電の際に相変化する素材を利用してもよい。
【産業上の利用可能性】
【００９０】
本発明の除湿装置は電源線が不要で小型であり、かつ再生可能な除湿装置であることから、押入れや下足箱以外の狭い閉鎖空間の除湿目的にも適用可能である。
【図面の簡単な説明】
【００９１】
【図１】本発明の実施の形態１の除湿装置の概略構成を示す模式図
【図２】本発明の実施の形態２の除湿装置の子機の概略構成を示す模式図
【図３】本発明の実施の形態３の除湿装置の子機の概略構成を示す模式図
【図４】本発明の実施の形態４の除湿装置の子機の概略構成を示す模式図
【図５】本発明の実施の形態５の除湿装置の子機の概略構成を示す模式図
【図６】本発明の実施の形態６の除湿装置の子機の概略構成を示す模式図
【図７】本発明の実施の形態７の除湿装置の子機の概略構成を示す模式図
【図８】本発明の実施の形態８の除湿装置の子機の概略構成を示す模式図
【図９】本発明の実施の形態９の除湿装置の子機の概略構成を示す模式図
【図１０】本発明の実施の形態１０の除湿装置の子機の概略構成を示す模式図
【図１１】本発明の実施の形態１１の除湿装置の子機の概略構成を示す模式図
【図１２】本発明の実施の形態１２の除湿装置の子機の概略構成を示す模式図
【図１３】本発明の実施の形態１３の除湿装置の概略構成を示す模式図
【図１４】従来の押入れ除湿装置の概略構成を示す模式図
【図１５】従来の押入れ除湿装置の使用状況を示す図
【符号の説明】
【００９２】
１    吸湿剤
２    子機
３    再生手段
４    親機
５    除湿装置
６    空気循環手段
７    円筒状の流路
８    送風手段
９    表示手段
１０  音発生手段
１１  温度検知手段
１２  湿度検知手段
１３  照度検知手段
１４  タイマー
１５  発熱手段
１６  通信手段
１７  二次電池
１８  充電手段
【図１】
2008093505.tif 000003
【図２】
2008093505.tif 000004
【図３】
2008093505.tif 000005
【図４】
2008093505.tif 000006
【図５】
2008093505.tif 000007
【図６】
2008093505.tif 000008
【図７】
2008093505.tif 000009
【図８】
2008093505.tif 000010
【図９】
2008093505.tif 000011
【図１０】
2008093505.tif 000012
【図１１】
2008093505.tif 000013
【図１２】
2008093505.tif 000014
【図１３】
2008093505.tif 000015
【図１４】
2008093505.tif 000016
【図１５】
2008093505.tif 000017